(57)【要約】【課題】開口を可撓性を有する封止部材を溶着して封止する構成のカード基材収納容器において、封止部材を小さな力量で剥離でき、また、封止部材の剥離時に封止部材が裂断することのないカード基材収納容器を提供する【解決手段】カードを排出する開口を五角形状で環囲する凸部の外側に、開口の中心線に垂直な直線にそれぞれの端面が接する第２の凸部および第３の凸部を設けて封止部材の被溶着面とし、第２の凸部および第３の凸部の溶着個所と非溶着個所の境界部で封止部材を折り返して剥離する。【選択図】図２
2007112569.tif 000002
【特許請求の範囲】
【請求項１】
カード基材を収納する収納部、および、平面形状が長方形状の開口を３辺が前記開口の３辺に平行で、２辺が前記開口の辺に平行でない五角形形状で環囲する凸部を有する底面部とからなる容器本体の前記凸部に、可撓性を有する封止部材を溶着して、前記開口を封止するカード基材収納容器において、
前記底面部に、前記凸部における前記開口の辺に平行でない２辺が形成する頂点の外側を通過する前記開口の中心線に垂直な直線にそれぞれの端面が接する前記凸部と高さの等しい第２の凸部および第３の凸部を有することを特徴とするカード基材収納容器。
【請求項２】
前記第２の凸部および第３の凸部は、前記直線に接する端面の形状が円弧であることを特徴とする請求項１に記載のカード基材収納容器。
【発明の詳細な説明】
【技術分野】
【０００１】
本発明は、カード基材収納容器の改良に関し、例えばカード基材に画像情報や文字情報を出力してＩＤカードなどを製造するカード作製装置にカード基材を供給するための、カード作製装置に着脱可能に装着して使用されるカード基材収納容器の改良に関するものである。
【背景技術】
【０００２】
ＩＤカードなどのカードは、あらかじめ準備されたカード基材の表面に、カード作製装置により所有者の顔画像や必要な文字情報を出力して作製される。
【０００３】
カード基材は、通常、カード作製装置に着脱自在のカード基材収納容器に収納され、カード基材収納容器はカード作製装置に装着されて収納するカード基材がカード製作に供される。カード作製装置に使用されるカード基材収納容器の具備すべき条件として、保管中は収納するカード基材の品質を劣化させないこと、カード作製装置への装着が容易であり、装着後はカード基材を確実に供給できることが挙げられる。
【０００４】
カード基材収納容器はカード基材を排出する開口を有し、カード基材の保管中は開口は封止部材で封止されて、カード基材の品質劣化を防止する。カード製作に際しては、カード基材収納容器をカード作製装置に装着し、開口の封止部材を除去して開口を開放すると、カード基材収納容器からカード基材がカード作製装置に排出され、カード基材に顔画像や文字情報が出力されてＩＤカードなどのカードが形成される。
【０００５】
カード基材収納容器に関する技術としては、開口を封止する部材を樹脂の板で形成し、開口を開放、閉鎖可能にする技術（例えば特許文献１）が提案されている。
【特許文献１】特開平１１−２４０６２７号公報
【発明の開示】
【発明が解決しようとする課題】
【０００６】
特許文献１にて提案されている、封止部材を開閉可能な樹脂部材にて形成し、カード基材収納容器の開口を閉鎖あるいは開放する技術は、構造が複雑であり、より簡便な構成のカード基材収納容器が要望されている。
【０００７】
より簡便な構成のカード基材収納容器としては、開口の周囲に溶着面を設け、溶着面に可撓性を有する封止部材を溶着して開口を封止し、カード基材を取り出すときは、溶着面から封止部材を剥離、除去して開口を開放する構成がある。
【０００８】
本発明は、開口を可撓性を有する封止部材を溶着して封止する構成のカード基材収納容器において、封止部材を小さな力量で剥離でき、また、封止部材の剥離時に封止部材が裂断することのないカード基材収納容器を提供することを課題とする。
【課題を解決するための手段】
【０００９】
上記課題は、以下の構成により達成される。
（１）カード基材を収納する収納部、および、平面形状が長方形状の開口を３辺が前記開口の３辺に平行で、２辺が前記開口の辺に平行でない五角形形状で環囲する凸部を有する底面部とからなる容器本体の前記凸部に、可撓性を有する封止部材を溶着して、前記開口を封止するカード基材収納容器において、
前記底面部に、前記凸部における前記開口の辺に平行でない２辺が形成する頂点の外側を通過する前記開口の中心線に垂直な直線にそれぞれの端面が接する前記凸部と高さの等しい第２の凸部および第３の凸部を有することを特徴とするカード基材収納容器。
（２）前記第２の凸部および第３の凸部は、前記直線に接する端面の形状が円弧であることを特徴とする（１）に記載のカード基材収納容器。
【発明の効果】
【００１０】
請求項１に記載の発明によれば、開口を可撓性を有する封止部材を溶着して封止する構成のカード基材収納容器において、封止部材の剥離時に封止部材が裂断することのないカード基材収納容器を提供できる。
【００１１】
請求項２に記載の発明によれば、封止部材を小さな力量で剥離できるカード基材収納容器を提供できる。
【発明を実施するための最良の形態】
【００１２】
以下、本発明の実施の形態について図面を参照して説明する。図１は、本発明の一つの実施の形態であるカード基材収納容器を装着し、カード製作を実施するカード作製装置の概略を示す模式図である。
【００１３】
図１に示すカード作製装置１は、カード供給部１０、写真印刷部２０、文字印刷部３０、保護膜形成部４０、カード収容部９０、および、操作入力部５０を有している。操作入力部５０からは、カード作製装置１を運用するのに必要な情報情報とともに、証明カードに必要な顔画像データ等の画像情報や、カードに印刷される個人データ等の文字情報を入力でる。カード作製装置１は、操作入力部５０から入力された情報、データに基づき、カード供給部１０から供給されたカード基材Ｃに、写真印刷部２０により所有者の顔写真等の画像を印刷し、文字印刷部３０にて証明カードとして必要な文字情報を印刷した後に、保護膜形成部４０にて表面保護膜を形成し、完成したＩＤカードあるいは証明カードと呼ばれるカードをカード収容部９０に収容する。以下、その詳細を説明する。
【００１４】
カード基材供給部１０には、カード基材収納容器であるカードマガジンを着脱自在に装着でき、本実施の形態におけるカード作製装置はカードマガジン１３Ａ、１３Ｂ、１３Ｃの３個のカードマガジン１３を着脱自在に装着できる。カードマガジン１３Ａ、１３Ｂ、１３Ｃはそれぞれ顔写真および文字情報が印刷される前の原券であるカード基材Ｃを複数枚収納し、操作入力部５０から入力された情報に基づき、カードマガジン１３Ａ、１３Ｂ、１３Ｃのいずれかよりカード基材Ｃが１枚ずつ取出され、写真印刷部２０、写真印刷部２０、文字印刷部３０、保護膜形成部４０を経て証明カードとなり、最下流側のカード収容部９０に収容される。
【００１５】
図２は、本発明の一つの実施の形態であるカードマガジンの概念図である。図２（ａ）はカードマガジン１３をカード基材を収納する収納部側から見た斜視図であり、図２（ｂ）は、収納したカード基材を排出する底面側から見た図である。図２（ａ）において１３１はその内側にカード基材を重ねて収納する収納部であり、収納部１３１の下方の平板部分が底面部１３２である。カード作製装置１には、底面部１３２を下側にして、端面Ａ部を奥側に、端面Ｃ部を手前側にして装着する。カード作製装置１の所定位置に装着されると、底面部１３２はカード作製装置１の押さえ部材により、カード作製装置１のカードマガジン受け面に押圧され固定される。
【００１６】
図２（ｂ）に示すように、底面部１３２は長方形状の開口１３３を有し、開口１３３から収納するカード基材を排出する。なお、開口１３３は、カードマガジン１３をカード作製装置１に装着するまでは封止部材で封止されており、封止部材はカード作製装置１に装着するときに除去されて開口１３３は開放される。封止部材については後述する。
【００１７】
カード作製装置１は、カードマガジン受け面に装着されたカードマガジン１３の開口１３３に相対する位置にカード基材受入口を有し、装着されたカードマガジンから排出されるカード基材をカード基材受入口から受け入れ、受け入れたカード基材の表面に顔画像や文字情報を出力してＩＤカードを作製する。
【００１８】
底面部１３２の端面Ｂ、端面Ｄ側には、底面部１３２の面Ｅからそれぞれ等しい高さｈ1の二つの段差部ＦおよびＧが、それぞれの段差の内壁部が開口１３３を平行に挟むように形成されている。段差部ＦおよびＧは、カードマガジン１３をカード作製装置１に装着したときに、カード作製装置１の非図示のカードマガジン受け面に当接する。
【００１９】
また、開口１３３と段差部ＦおよびＧとの間の面Ｅには、開口１３３を平面形状が５角形をなして環囲する凸条Ｈと、凸条Ｈの外側に２つの突起部ＩおよびＪを有する。凸条Ｈ、突起部ＩおよびＪの面Ｃからの高さはそれぞれ等しく、底面部１３２の面Ｅからｈ2であり、ｈ2は、二つの段差部ＦおよびＧの面Ｅからの高さｈ1より低く、ｈ2＜ｈ1である。凸条Ｈが特許請求の範囲に記す凸部にあたり、突起部Ｉが第２の凸部に、突起部Ｊが第３の凸部にあたる。これら、凸条Ｈ、突起部ＩおよびＪの天面部に封止部材が溶着される。開口１３３を環囲する凸条Ｈに封止部材が溶着されることにより開口１３３は封止される。
【００２０】
図３は底面部１３２の詳細を示す図面であり、図３（ａ）は平面図、図３（ｂ）は側面図図、図３（ｃ）は断面Ｘ−Ｘにおける断面図である。図３（ａ）、（ｂ）、（ｃ）に示すように、底面部１３２は開口１３３の中心線ＣＬ1に対して端面Ｂと端面Ｄ方向は対称に、端面Ａと端面Ｃは中心線ＣＬ2に対して端面Ａ側が長く端面Ｃ側が短い非対称に形成される。
【００２１】
段差部ＦおよびＧは開口１３３の中心線ＣＬ1に対して対称位置に形成されており、面Ｅからの高さはｈ1である。
【００２２】
凸条Ｈは、面Ｅからの高さｈ2の帯状の突起であり、開口１３３を環囲する平面形状がＨＡ１、ＨＡ２、ＨＢ、ＨＣ、ＨＤを５辺とする凸多角形をなす。５辺のうち辺ＨＢ、ＨＣ、ＨＤは開口１３３の３辺に平行であり、辺ＨＡ１、ＨＡ２は開口１３３のいずれの辺とも平行でない。凸条Ｈの辺ＨＡ１と、ＨＡ２の交差部の先端部を尖凸部と呼び、記号Ｐで表すことにする。
【００２３】
突起部ＩおよびＪは、開口１３３の中心線ＣＬ1をはさむ対称な位置に設けられた、それぞれの図示左側の端面が、前記凸条Ｈにおける尖凸部Ｐの外側を通る開口１３３の中心線ＣＬ1に垂直な直線Ｌに接する円柱形状をなす突起である。前述のように、突起部ＩおよびＪのそれぞれの面Ｅからの高さはｈ1であり、凸条Ｈの面Ｅからの高さｈ1に等しい。
【００２４】
封止部材１３４は、可撓性を有する樹脂製のフィルムである。封止部材１３４は、カード器材を収納したカードマガジン本体１３０の底面部１３１の段差部Ｆと段差部Ｇとの間に、封止部材１３４の長手方向の一端部を端面Ｃに一致するように組み合わされて、凸条Ｈ、突起部ＩおよびＪに熱溶着される。開口１３３を環囲する凸条Ｈに封止部材１３４が熱溶着されることにより、開口１３３は封止される。カードマガジン本体に封止部材１３４が溶着された状態を図４に示す。
【００２５】
次いで、開口１３３が封止されたカードマガジン１３を、カード作製装置１に装着するときの状況を説明する。
【００２６】
カードマガジン１３をカード作製装置１に装着するにあたり、オペレータは、まず、溶着された封止部材１３４の自由端側を、溶着個所と非溶着個所との境界部、すなわち、突起部ＩおよびＪの端面位置にて折り返しを行う。封止部材１３４の折り返しを、突起部ＩおよびＪに溶着された位置にて実施することは、図３に示した開口１３３の中心線ＣＬ1に垂直な直線Ｌに沿って折り返しがなされることであり、封止部材１３４は中心線ＣＬ1に垂直に、開口１３３に対して曲がりなく、すなわち、段差部ＦおよびＧの間に、段差部ＦおよびＧに平行に折り返される。封止部材１３４が折り返された状態を図５に示す。
【００２７】
カードマガジン１３は、封止部材１３４の自由端を折り返した状態でカード作製装置１の所定位置に端面Ａ側を奥側にし、端面Ｃ側を手前側にしてカード作製装置１に装着される。図６は、カードマガジン１３をカード作製装置１に装着したときの状態を示す図であり、カードマガジン１３の底面部１３２の端面Ｄ側から見た図である。
【００２８】
図６（ａ）に示すように、カード作製装置１に装着されたカードマガジン１３の封止部材１３４は、突起部ＩおよびＪに溶着された位置で折り返されており、封止部材１３４の折り返した端部は、受け面と、底面部１３２の二つの段差部ＦおよびＧの間隙から端面Ｃ側に露出する。ここで、封止部材１３４における溶着部と非溶着部の境界部をＲ、折り返されて端面Ｃ側に露出している部分をＱとする。
【００２９】
封止部材１３４は、開口の周囲の凸条Ｈ、突起部ＩおよびＪに溶着されており、封止部材１３４の端部Ｑを矢印Ｒ方向に引くと、境界部Ｒから剥離がなされる。封止部材１３４の端部Ｑを矢印Ｒ方向に引くことにより境界部Ｒは矢印方向に移動し、移動する境界部Ｒにて剥離が連続して行われる。
【００３０】
封止部材１３４の端部Ｑを矢印Ｒ方向に引くことにより、剥離は図６（ａ）に示す突起部ＩおよびＪにおける溶着個所と非溶着個所の境界部Ｒから開始される。すなわち、図３に示した開口１３３の中心線ＣＬ1に垂直な直線Ｌに沿って剥離が開始される。
【００３１】
次いで、封止部材１３４の端部Ｑを矢印Ｒ方向に引くことにより境界部Ｒは凸条Ｈ位置に移動し、図６（ｂ）に示す凸条Ｈの尖凸部Ｐから溶着の剥離が行われる。そして、図６（ｃ）に示すように凸条Ｈからの剥離が終了し封止部材１３４が開口から除去されて開口が開放される。そして、さらに封止部材１３４の端部Ｑを矢印Ｒ方向に引くと、封止部材１３４はカードマガジン受け面と、底面部１３２の二つの段差部ＦおよびＧの間隙から抜去される。
【００３２】
ところで、封止部材１３４の剥離は、非溶着個所と溶着個所との境界部にて封止部材１３４を溶着力を上回る力量で引き剥がすことによりなされる。剥離に要する力量は、非溶着個所と溶着個所との境界部において剥離がなされる部分の長さに比例し、剥離がなされる部分の長さが短かいときに小さい力量で剥離が可能であり、また、剥離がなされる部分の長さが長いときには大きい力量を必要とする。カード作製装置の操作、取り扱いに際しては、封止部材の小さい力量で剥離が実施できることが好ましい。
【００３３】
このため、凸条部の平面形状を開口を環囲する凸五角形とし、凸五角形の尖凸部から剥離を開始することにより、剥離が開始されるときの剥離がなされる部分の長さを短くして、小さい力量で剥離が開始できるように構成することが行われる。本発明の実施の形態におけるカードマガジン１３もそのように構成されている。
【００３４】
一方、従来のカードマガジンにおいては、オペレータが封止部材を折り返してカード作製装置に装着する際に、折り返された封止部材の一部が、カード作製装置のカードマガジン受け面と、カードマガジンの底面部の段差部とに挟み込まれることがある。折り返した封止部材がカードマガジン受け面と、段差部に挟み込まれた状態で、封止部材の折り返した端部を引いて抜去しようとするときに、封止部材が挟み込まれた個所から裂断され、裂断された封止部材の一部が開口部に残り、カード基材の排出に支障をきたすことがあった。
【００３５】
折り返された封止部材の一部が、カード作製装置のカードマガジン受け面と、カードマガジンの底面部の段差部とに挟み込まれることは、カードマガジンの底面部の段差部の内壁に対して封止部材が平行でなく折り返されることに起因する。
【００３６】
前述の、小さい力量で剥離が開始できるように凸五角形の尖凸部から剥離を開始するカードマガジンにおいては、封止部材を凸五角形の尖凸部における溶着個所と非溶着個所との境界部で折り返すときに、折り返す方向が定まりにくく、カードマガジンの底面部の段差部の内壁に対して平行になるように封止部材を折り返すには、オペレータの細心の注意を必要とする。
【００３７】
本発明の形態におけるカードマガジンは、凸条Ｈに加え、開口１３３の中心線ＣＬ1に垂直、かつ、前記凸条Ｈにおける尖凸部Ｐの外側を通る直線Ｌに接する突起部ＩおよびＪを設け、突起部ＩおよびＪに封止部材を溶着することにより、封止部材の折り返しが直線Ｌに沿ってなされるので、封止部材は開口１３３の中心線ＣＬ1に垂直に、開口１３３に対して曲がりなく、すなわち底面部の段差部の内壁に対して平行に折り返される。
【００３８】
従って、カードマガジンをカード作製装置に装着するにあたって従来のカードマガジンのように折り返された封止部材の一部が、カードマガジン受け面と、底面部の二つの段差部のいずれかに挟み込まれるような事態は発生せず、封止部材が挟み込まれた個所で裂断されてカードマガジンの開口に残り、カード基材の排出に支障をきたす、というような問題は発生しない。
【００３９】
また、本実施の形態におけるカードマガジンでは段差部Ｉと段差部Ｊは円柱であり、それぞれ直線Ｌに円弧で接しているので、非溶着個所と溶着個所の境界部は直線と円弧の接点となるので、剥離が開始される部分の長さは短かく、小さい力量で剥離を開始できる。従って、本発明により、開口を可撓性を有する封止部材を溶着して封止する構成のカード基材収納容器において、封止部材を小さな力量で剥離でき、また、封止部材の剥離時に封止部材が裂断することのないカード基材収納容器を提供できる。
【図面の簡単な説明】
【００４０】
【図１】本発明の一つの実施の形態であるカード作製装置の概略構成を示す模式図である。
【図２】カードマガジンの概念図である。
【図３】底面部１３２の詳細を示す図面である。
【図４】カードマガジン本体に封止部材１３４が溶着された状態を示す図である。
【図５】封止部材１３４が折り返された状態を示す図である。
【図６】カードマガジン１３をカード作製装置１に装着したときの状態を示す図である。
【符号の説明】
【００４１】
１  カード作製装置
１０  カード供給部
１３  カードマガジン
２０  写真印刷部
３０  文字印刷部
４０  保護膜形成部
９０  カード収容部
１３４  封止部材
Ｃ  カード基材
【図１】
2007112569.tif 000003
【図２】
2007112569.tif 000004
【図３】
2007112569.tif 000005
【図４】
2007112569.tif 000006
【図５】
2007112569.tif 000007
【図６】
2007112569.tif 000008